(57)【要約】【課題】目地の延びる方向の外方にスペースがなくとも面状止水材の取付けを行うことができ、しかも、その取付けを容易に行うことができる外壁目地止水材の取付け方法等を提供する。【解決手段】外壁目地１０内の対向面部のそれぞれに、目地内に開口して目地方向に延びるスリット２，２を備えさせ、断面「く」の字状の可撓性を有する面状止水材３を用い、該面状止水材３を、その屈曲部３ｂの外周側から、両翼３ａ，３ａを内向きに撓ませるようにして屋外側から目地内に押し込んで両翼３ａを各スリット２と係合させたのち、両翼３ａを、外向きに撓ませ開いていくようにして各スリット２内の奥方に差し込んでいき、スリット２内の粘着材８に粘着させて取り付ける。【選択図】      図１
2005023709.tif 000002
【特許請求の範囲】
【請求項１】
外壁目地内の対向面部のそれぞれに、目地内に開口して目地方向に延びるスリットを備えさせ、
可撓性を有する面状止水材を用い、
該面状止水材を、屋外側又は屋内側から目地内に撓ませて押し込んだ後、両側部を各スリット内の奥方に差込み状態にして拡げた状態にすることを特徴とする外壁目地止水材の取付け方法。
【請求項２】
前記面状止水材が断面「く」の字状をしていると共に、前記対のスリット内に粘着材が備えられ、
面状止水材を、その屈曲部の外周側から、両翼を内向きに撓ませるようにして目地内に押し込んで両翼を各スリットと係合させたのち、両翼を外向きに撓ませ開いていくようにして各スリット内の奥方に差し込んでいき、両翼を前記粘着材に粘着させる請求項１に記載の外壁目地止水材の取付け方法。
【請求項３】
可撓性を有する面状止水材を用い、
該面状止水材を屋外側から目地内に撓ませて押し込んだ後、両側部を、外壁目地の奥方両側に備えられた背面側に面する面部に沿わせるように拡げ、該面部に粘着材で止水状態に粘着させることを特徴とする外壁目地止水材の取付け方法。
【請求項４】
前記面状止水材が断面「く」の字状をしており、該面状止水材を、その屈曲部の外周側から、両翼を内向きに撓ませるようにして目地内に押し込んで両翼を背面側に面する各面部と係合させたのち、両翼を外向きに撓ませ開いていくようにして各面部に沿わせていき、両翼を該面部に粘着させる請求項３に記載の外壁目地止水材の取付け方法。
【請求項５】
前記面状止水材として、屈曲部の内周側に引込み用の取っ手が備えられたものを用い、
取っ手を手前側に引いていくことにより、両翼を外向きに撓ませ開いていく請求項２又は４に記載の外壁目地止水材の取付け方法。
【請求項６】
前記面状止水材の両翼を粘着材に粘着させた後、取っ手を除去する請求項５に記載の外壁目地止水材の取付け方法。
【請求項７】
断面「く」の字状をしていると共に、可撓性を有し、かつ、屈曲部内周側に引込み用の取っ手が備えられていることを特徴とする面状止水材。
【請求項８】
前記面状止水材として、両翼が外向きにカールしている請求項７に記載の面状止水材。
【発明の詳細な説明】
【０００１】
【発明の属する技術分野】
本発明は、外壁目地止水材の取付け方法及び面状止水材に関する。
【０００２】
【関連する技術】
住宅等の建物において、例えば、外壁縦目地内の対向面部のそれぞれに、目地内に開口する上下方向に延びる対のスリットを設け、面状止水材の両側部を各スリット内の奥方に差込み状態にして外壁目地を止水する構造において、そのような面状止水材の取付け方法として、面状止水材の下端両側部を両スリットの上端部に差し込み、その状態で面状止水材を下方にスライドさせていく方法が考えられる。
【０００３】
また、面状止水材が、外壁目地の奥方両側に備えられた背面側に面する面部にわたすように取り付けられることで外壁目地を止水する構造においても、そのような面状止水材の取付け方法として、面状止水材の下端両側部を外壁目地部の上端部に差し込み、その状態で面状止水材を下方にスライドさせていく方法が考えられる。
【０００４】
しかしながら、上記のようなスライド式取付け方法では、外壁の上部に面状止水材を差し込むためのスペースを必要とし、そのようなスペースを確保することができない場合は面状止水材を取り付けることができないという問題があり、また、スライドさせる長さも大きいのが普通であるので、面状止水材の取付けが厄介であるという問題もある。
【０００５】
本発明は、上記のような問題点に鑑み、目地の延びる方向の外方にスペースがなくとも面状止水材の取付けを行うことができ、しかも、その取付けを容易に行うことができる外壁目地止水材の取付け方法等を提供することを課題とする。
【０００６】
【課題を解決するための手段】
上記の課題は、外壁目地内の対向面部のそれぞれに、目地内に開口して目地方向に延びるスリットを備えさせ、
可撓性を有する面状止水材を用い、
該面状止水材を、屋外側又は屋内側から目地内に撓ませて押し込んだ後、両側部を各スリット内の奥方に差込み状態にして拡げた状態にすることを特徴とする外壁目地止水材の取付け方法によって解決される。
【０００７】
この取付け方法では、面状止水材の取付けを、屋外側又は屋内側から目地内に押し込むことによって行うものであるから、目地の延びる方向の外方にスペースがなくとも面状止水材の取付けを行うことができ、しかも、その取付けを容易に行うことができる。
【０００８】
加えて、面状止水材を押込みによって撓ませた後、両側部を各スリット内の奥方に差し込んで拡げた状態にして取り付けるものであるから、面状止水材は、その両側部が各スリット内に差込み状態となって取り付けられ、その限りにおいてスライド式取付け方法と変わらない止水状態を得ることができる。
【０００９】
この場合の「拡げた状態」とは、押込みによって撓まされた面状止水材が復元することによって拡げられた状態のほか、例えば、面状止水材が断面「く」の字状をしている場合などにおいて、屈曲部を挟む両翼を復元を越えて外向きに撓ませた状態にして拡げられた状態などをも含むものである。後者のような場合には、拡げられた状態を保持する手段として、スリット内に粘着材を備えさせ、この粘着材に面状止水材の両側部を粘着させるようにしてもよいし、あるいは、面状止水材の両側部をスリット内に摩擦等により係合保持させるようにしてもよいし、その他の保持手段が採用されてもよい。
【００１０】
上記の取付け方法において、前記面状止水材が断面「く」の字状をしていると共に、前記対のスリット内に粘着材が備えられ、
面状止水材を、その屈曲部の外周側から、両翼を内向きに撓ませるようにして目地内に押し込んで両翼を各スリットと係合させたのち、両翼を外向きに撓ませ開いていくようにして各スリット内の奥方に差し込んでいき、両翼を前記粘着材に粘着させるようにするのもよい。
【００１１】
この場合は、面状止水材が断面「く」の字状をしており、屈曲部の外周側から、両翼を内向きに撓ませるようにして目地内に押し込んでいくようにしているので、押込みを容易に行うことができる。しかも、面状止水材が断面「く」の字状をしているので、両翼を外向きに撓ませ開いていくことによって両翼を各スリット内の奥方深くに差し込んだ状態にすることができ、面状止水材による止水性能を高いものにすることができる。加えて、各スリット内の奥方に差し込まれた両翼は粘着材に粘着させるので、面状止水材を両翼を外向きに撓ませて開いた状態に保持することができる。
【００１２】
また、上記の課題は、可撓性を有する面状止水材を用い、
該面状止水材を屋外側から目地内に撓ませて押し込んだ後、両側部を、外壁目地の奥方両側に備えられた背面側に面する面部に沿わせるように拡げ、該面部に粘着材で止水状態に粘着させることを特徴とする外壁目地止水材の取付け方法によっても解決される。
【００１３】
この取付け方法では、面状止水材の取付けを、屋外側から目地内に押し込むことによって行うものであるから、目地の延びる方向の外方にスペースがなくとも面状止水材の取付けを行うことができ、しかも、その取付けを容易に行うことができる。
【００１４】
加えて、面状止水材を押込みによって撓ませた後、両側部を各背面側に面する面部に沿うように拡げた状態にして粘着材で止水状態に粘着されるものであるから、面状止水材は、その両側部が粘着材で止水状態に取り付けられ、しっかりとした止水状態を得ることができる。
【００１５】
この場合の「拡げ」とは、押込みによって撓まされた面状止水材が復元することによって拡げられた状態のほか、例えば、面状止水材が断面「く」の字状をしている場合などにおいて、屈曲部を挟む両翼を復元を越えて外向きに撓ませた状態にして拡げられた状態などをも含むものである。
【００１６】
この取付け方法において、前記面状止水材が断面「く」の字状をしており、該面状止水材を、その屈曲部の外周側から、両翼を内向きに撓ませるようにして目地内に押し込んで両翼を背面側に面する各面部と係合させたのち、両翼を外向きに撓ませ開いていくようにして各面部に沿わせていき、両翼を該面部に粘着させるようにするのもよい。
【００１７】
その場合は、面状止水材が断面「く」の字状をしており、屈曲部の外周側から、両翼を内向きに撓ませるようにして目地内に押し込んでいくようにしているので、押込みを容易に行っていくことができる。しかも、面状止水材が断面「く」の字状をしているので、両翼を外向きに撓ませ開いていくことによって両翼を各背面側に面する面部の広い範囲にわたって位置させることができて、面状止水材による止水性能を高いものにすることができる。加えて、各背面側に面する面部に沿わされた両翼は粘着材で粘着されるので、面状止水材を両翼を外向きに撓ませて開いた状態に保持することができる。
【００１８】
断面「く」の字状の面状止水材を用いる上記各取付け方法において、面状止水材の両翼が外向きにカールしているとよい。その場合は、目地内への面状止水材の押込み後に、面状止水材の両翼が、各スリット内にスムーズに導き入れられ、しかも、導き入れられた両翼が各スリット内の奥方深くにスムーズに差し込まれていく。また、目地内への面状止水材の押込み後に、面状止水材の両翼が、各背面側に面する面部にスムーズに導かれ、しかも、導かれた両翼が各背面側に面する面部の広い範囲にスムーズに沿わされていく。
【００１９】
断面「く」の字状の面状止水材を用いる上記各取付け方法において、面状止水材として、屈曲部の内周側に引込み用の取っ手が備えられたものを用い、
取っ手を手前側に引いていくことにより、両翼を外向きに撓ませ開いていくとよい。その場合は、面状止水材の両翼をスリット内奥方に容易に差し込んでいくことができるし、また、面状止水材の両翼を各背面側に面する面部に容易に沿わせていくことができる。更に、前記面状止水材の両翼を粘着材に粘着させた後、取っ手を除去する場合は、取っ手が他の妨げとなるのを防ぐことができる。
【００２０】
【発明の実施の形態】
次に、本発明の実施形態を図面に基づいて説明する。
【００２１】
図１乃至図５に示す第１実施形態は、隣り合う左右の外壁パネル間の縦目地の止水に適用した場合のもので、１，１は左右の外壁パネル、３は面状止水材である。
【００２２】
各外壁パネル１は、図１（イ）に示すように、パネル間部分において、外壁面材５の背面側に上下方向に延びる下地材６が備えられると共に、下地材６の背面側にパネルフレーム７が備えられ、これらが例えば図示しないビスなどで一体化されたものからなっている。両外壁パネル１，１は、そのパネルフレーム７，７が建物躯体としての柱４を両側から挟むようにして建物躯体に取り付けられ、外壁面材５，５間、及び、下地材６，６間にわたる深さの縦目地１０が形成されている。
【００２３】
そして、本実施形態では、目地１０内の対向面部に、図１（ロ）に示すように、目地１０内に開口して目地方向、即ち上下方向に延びるスリット２，２が、外壁面材５と下地材６との境界部位置において、下地材６側に設けられた切欠き６ａによって形成されている。そして、各スリット２内の奥方底部には、ブチル等による粘着材８が付けられ、粘着材８によって下地材６と外壁面材５との間が止水されている。
【００２４】
一方、面状止水材３は、図１（ハ）に示すように、ポリプロピレンなどからなるシート状のもので、断面「く」の字状をして可撓性を有し、また、屈曲部３ｂを挟む両翼３ａ，３ａは外向きにカールしている。その幅寸法は、目地１０の幅よりも大きく設定されている。また、屈曲部３ｂの内周側には引込み用の取っ手３ｃが一体的ないしは一体に備えられている。取っ手３ｃは、面状止水材３から除去可能であり、除去を容易にするため、取っ手３ｃの付け根部分には、切欠き１１，１１が設けられ、取っ手３ｃはひねることによって面状止水材３から容易に除去することができるようになされている。
【００２５】
上記の面状止水材３の取付けは、次のようにして行われる。即ち、図２（イ）（ロ）に示すように、面状止水材３をその屈曲部３ｂの外周側を目地１０に向けて屋外側から取っ手３ｃを利用して目地１０内に押し込んでいく。すると、面状止水材３は、その両翼３ａ，３ａを内向きに撓ませるようにして目地１０内に入っていき、更に押し込んでいくと、図３（ハ）に示すように、両翼３ａ，３ａは、その先端部が各スリット２，２に位置した時点で外方に一部復元し、スリット２，２内に突出してスリット２，２と係合した状態となる。
【００２６】
両翼３ａ，３ａは上記のように外方にカールされているので、両翼３ａ，３ａの先端部はスムーズにスリット２，２内に突出させることができる。また、スリット２，２は外壁面材５と下地材６との境界部に備えられ、スリット２，２の位置よりも奥方に下地材６，６に挟まれた空間部があり、面状止水材３の屈曲部３ｂをその空間部に突出させることができて、両翼３ａ，３ａの先端部を支障無くスリット２，２内に突出させることができる。
【００２７】
なお、面状止水材３をその両翼３ａ，３ａの先端部がスリット２，２を越えるように目地１０内に押し込んだのち、手前側に引いていく過程で、両翼３ａ，３ａの先端部を各スリット２，２に突出させるようにしてもよい。
【００２８】
しかる後、図３（ニ）に示すように、取っ手３ｃを利用して面状止水材３を屋外側に引き寄せていく。すると、面状止水材３の両翼３ａ，３ａは、スリット２，２との係合作用によって外向きに撓んで開いていくと共に、スリット２，２内の奥方へと差し込まれていく。両翼３ａ，３ａが外方にカールされていることで、スリット２，２内の奥方へ差込みもスムーズに行わる。そして、両翼３ａ，３ａの先端部がスリット２，２内の粘着材８，８に粘着され、面状止水材３は、これら粘着材８，８により外向きに撓んで開いた状態に保持されると共に、面状止水材３の両側部が粘着材８，８で止水状態になる。面状止水材３には取っ手３ｃが備えられているので、以上の操作を容易に行っていくことができる。
【００２９】
その後、図４（ホ）に示すように、取っ手３ｃをひねって除去し、最後に、図４（ヘ）に示すように、ガスケット１２を外壁面材５，５間に嵌め込むと、図５に示すような、ガスケット１２を１次止水材とし、面状止水材３を２次止水材とする外壁目地の止水構造が形成される。取っ手３ｃは除去するし、屈曲部３ｂは奥方側に突出しているので、取っ手３ｃや屈曲部３ｂがガスケット１２の嵌込みの妨げになることはない。
【００３０】
このように、上記の実施形態では、面状止水材３の取付けを、屋外側から目地１０内に押し込むことによって行うものであるから、目地の延びる方向の外方にスペースがなくとも取付けを行うことができ、しかも、取付けを容易に行うことができる。また、面状止水材３は、押込みによる撓み後に両側部が各スリット２，２内の奥方に差し込まれて拡げられた状態となって取り付けられるので、その限りにおいてスライド式取付け方法と変わらない止水状態を得ることができる。
【００３１】
更に、本実施形態では、面状止水材３が上記のように断面「く」の字状をしており、屈曲部３ｂの外周側から、両翼３ａ，３ａを内向きに撓ませるようにして目地１０内に押し込んでいくようにしているので、押込みを容易に行うことができる。しかも、面状止水材３がこのように断面「く」の字状をしているので、両翼３ａ，３ａを外向きに撓ませ開いていくことによって両翼３ａ，３ａを各スリット２，２内の奥方深くに差し込んだ状態にすることができ、面状止水材３による止水性能を高いものにすることができる。加えて、各スリット２，２内の奥方に差し込まれた両翼３ａ，３ａは粘着材８，８に粘着されるので、面状止水材３を両翼を外向きに撓ませて開いた状態にしっかりと保持することができる。
【００３２】
図６に示す第２実施形態の方法では、各外壁パネル１において、下地材６の目地１０側の側縁部が、外壁面材５の目地１０側の側縁部よりも後退して備えられ、そこに、背面側に面する面部１３が形成され、下地材６と外壁面材５との目地側境界部には粘着材８が予め設けられ、下地材６と外壁面材５との間が止水されている。その他は、第１実施形態と略同じである。そして、第１実施形態におけるの同じ面状止水材３を用い、図２乃至図４に示すのと同じ要領で、該面状止水材３を、その屈曲部３ｂの外周側から、両翼３ａ，３ａを内向きに撓ませるようにして屋外側から目地１０内に押し込んで両翼３ａ，３ａを背面側に面する各面部１３，１３と係合させることができるようにした後、引込み用の図示せぬ取っ手３ｃを屋外側に引いていくことで両翼３ａ，３ａを外向きに撓ませ開いて各面部１３，１３に沿わせていき、そして、両翼３ａ，３ａを粘着材８，８に粘着させて面状止水材３を外壁面材５，５の背面側に止水状態に取り付け、その後、取っ手３ｃをひねって除去し、最後に、ガスケット１２を外壁面材５，５間に嵌め込んで、ガスケット１２を１次止水材とし、面状止水材３を２次止水材とする外壁目地の止水構造を形成したものである。
【００３３】
以上に、本発明の実施形態を示したが、本発明はこれに限られるものではなく、発明思想を逸脱しない範囲で各種の変更が可能である。例えば、上記の第１実施形態では、スリット２，２を外壁面材５と下地材６との境界部位置に備えさせた場合を示しているが、スリットの位置は、外壁パネルの構造、外壁の構造によって適宜決められればよい。その場合に、外壁パネルの構造、外壁の構造によっては、目地内への面状止水材の押込みを屋内側から行うようにしてもよい。また、面状止水材３の両側部は粘着材によらずにスリットに差し込まれるだけで開いた状態を保持しうるようになっていてもよい。
【００３４】
また、上記の第２実施形態では、背面側に面する面部１３，１３を外壁面材５，５の背面部の位置に備えさせた場合を示しているが、背面側に面する面部の位置は、外壁パネルの構造、外壁の構造によって適宜決められればよい。また、第２実施形態における粘着材８，８は、外壁面材５と下地材６との間をも止水するように設けられているが、外壁面材５と面状止水材３との間のみを止水するように設けられていてもよいし、また、外壁の側に予め設けておくのではなく、面状止水材３の両翼３ａ，３ａの内面側に予め設けておくようにしてもよい。
【００３５】
更に、上記の各実施形態では、縦目地の止水について示しているが、横目地の止水の場合に用いることも可能である。更に、一次止水は、ガスケット以外の、例えば湿式シーリングによって行われたものであってもよいし、ガスケットなどを省略し、スリット差込み式の面状止水材で一次止水を行う止水構造に本発明方法を用いることも可能である。
【００３６】
【発明の効果】
本発明は、以上のとおりのものであるから、目地の延びる方向の外方にスペースがなくとも面状止水材の取付けを行うことができ、しかも、その取付けを容易に行うことができる。
【図面の簡単な説明】
【図１】第１実施形態方法を示すもので、図（イ）は面状止水材嵌込み前の外壁パネル間部分を示す平面断面図、図（ロ）は図（イ）の要部拡大図、図（ハ）は面状止水材の斜視図である。
【図２】図（イ）及び図（ロ）は、図３及び図４とともに、面状止水材の取付け方法を順次に示す平面断面図である。
【図３】図（ハ）及び図（ニ）は、図２及び図４とともに、面状止水材の取付け方法を順次に示す平面断面図である。
【図４】図（ホ）及び図（ヘ）は、図２及び図３とともに、面状止水材の取付け方法を順次に示す平面断面図である。
【図５】図（イ）は得られる外壁目地の止水構造を示す平面断面図、図（ロ）はその要部平面断面図である。
【図６】第２実施形態方法を示すもので、その方法により得られる外壁目地の止水構造を示す平面断面図、図（ロ）はその要部平面断面図である。
【符号の説明】
２…スリット
３…面状止水材
３ａ…翼
３ｂ…屈曲部
３ｃ…取っ手
８…粘着材
１０…目地
１３…背面側に面する面部
【図１】
2005023709.tif 000003
【図２】
2005023709.tif 000004
【図３】
2005023709.tif 000005
【図４】
2005023709.tif 000006
【図５】
2005023709.tif 000007
【図６】
2005023709.tif 000008